(57)【要約】【課題】  駆動手段の回転によって直接、噴出口を回転することができる加湿器を提案し、利用者の満足度を向上させることを目的とする。【解決手段】  噴出ノズル１０と噴出管組立体２０を備えた加湿器１２であって、ステッピングモータ２４と、駆動軸２６と、ケース２８とで駆動ユニット２２を構成し、前記噴出管組立体２０の一方に噴出ノズル１０を配し、前記噴出管組立体２０の壁部に前記駆動軸２６が貫通する貫通孔３４を備え、前記駆動ユニット２２を前記噴出管組立体２０の外部に固定し、前記駆動軸２６を前記貫通孔３４を貫通させ、前記噴出管組立体２０内部で前記噴出ノズル１０と接続した。【選択図】    図１
2006183958.tif 000002
【特許請求の範囲】
【請求項１】
噴出口と噴出管組立体を備えた加湿器であって、
減速ギア内蔵型回転機構と、駆動軸と、ケースとで駆動手段を構成し、
前記噴出管組立体の一方に、噴出口を配し、
前記噴出管組立体の壁部に、前記駆動軸が貫通する貫通孔を備え、
前記駆動手段を、前記噴出管組立体の外部に固定し、
前記駆動軸を、前記貫通孔を貫通させ、前記噴出管組立体内部で前記噴出口と接続した
加湿器。
【請求項２】
前記噴出管組立体の壁部に、水平部分を備え、
該水平部分に前記貫通孔を配し、
該貫通孔を貫通する前記駆動軸が略鉛直となるように前記駆動手段を、前記加湿器本体の取付け部に固定した
請求項１に記載の加湿器。
【請求項３】
前記駆動軸の一端に、断面を多角形に形成した多角形断面部を備え、
前記噴出口の下部に備えた円筒部の内側中央に、前記多角形断面部に対応する多角形穴を有する挿着部を備え、
前記多角形断面部を前記多角形穴に挿着して、前記駆動軸と前記噴出口とを接続した
請求項１または２に記載の加湿器。
【請求項４】
前記挿着部の外周面と前記円筒部の内周面とを、固定部材で連結して前記挿着部を固定した
請求項１、２または３に記載の加湿器。
【発明の詳細な説明】
【技術分野】
【０００１】
この発明は、例えば噴出方向を変更できるような回転可能なノズルを有する加湿器に関する。
【背景技術】
【０００２】
近年、一般家庭や会社において、室内の空気の乾燥を防止するために、加湿器が多く用いられるようになっている。
【０００３】
加湿器は、タンク内に貯めた水を霧化して、蒸発させた水蒸気とミスト（霧状の水）とを噴出口から噴出させて、室内空気の乾燥を防止する。
【０００４】
また、噴出方向を変更できるような回転可能なノズルを有する加湿器が提案されている（特許文献１参照）。
【０００５】
回転可能なノズルを有する加湿器は、ミスト等の上昇圧によって噴出通路内に備えた回転羽体を回転させ、回転羽体に連動した歯車で噴出口を回転させるものである。
【０００６】
しかし、上記加湿器の、歯車によって往復回転させる往復回転機構は、複雑であるため製造コストが高いこと、往復回転機構が加湿機内の空間を大きく占有するため加湿器本体が大きくなるといった問題があった。
【０００７】
また、回転角度の調整は不可能であった。
【０００８】
【特許文献１】特開２０００−２７４７５２号公報
【発明の開示】
【発明が解決しようとする課題】
【０００９】
本発明は、上記問題に鑑み、駆動手段の回転によって直接、噴出口を回転することができる加湿器を提案し、利用者の満足度を向上させることを目的とする。
【課題を解決するための手段】
【００１０】
この発明は、噴出口と噴出管組立体を備えた加湿器であって、減速ギア内蔵型回転機構と、駆動軸と、ケースとで駆動手段を構成し、前記噴出管組立体の一方に、噴出口を配し、前記噴出管組立体の壁部に、前記駆動軸が貫通する貫通孔を備え、前記駆動手段を、前記噴出管組立体の外部に固定し、前記駆動軸を、前記貫通孔を貫通させ、前記噴出管組立体内部で前記噴出口と接続することを特徴とする。
【００１１】
これにより、前記噴出口を回転させることができため、ミスト等の噴出方向を変更することができる。
【００１２】
前記噴出管組立体の外部に前記駆動手段を配したことにより、前記駆動手段の作動信頼性および耐久性を向上させることができる。
【００１３】
前記駆動手段によって直接、前記噴出口を回転させるため、噴出口を回転させるための機構を単純化することができるため、加湿器本体をコンパクトにすることができる。また製造コストを低減することができる。
【００１４】
この発明の態様として、前記噴出管組立体の壁部に、水平部分を備え、該水平部分に前記貫通孔を配し、該貫通孔を貫通する前記駆動軸が略鉛直となるように前記駆動手段を、前記加湿器本体の取付け部に固定することができる。
【００１５】
これにより、噴出口の回転方向を略鉛直方向軸を中心とする回転とすることができる。
【００１６】
また、この発明の態様として、前記駆動軸の一端に、断面を多角形に形成した多角形断面部を備え、前記噴出口の下部に備えた円筒部の内側中央に、前記多角形断面部に対応する多角形穴を有する挿着部を備え、前記多角形断面部を前記多角形穴に挿着して、前記駆動軸と前記噴出口とを接続することができる。
【００１７】
これにより、駆動軸の回転を確実に噴出口に伝播することができる。
【００１８】
また、この発明の態様として、前記挿着部の外周面と前記円筒部の内周面とを、固定部材で連結して前記挿着部を固定することができる。
【００１９】
前記固定部材は、板状部材、棒状部材または格子状の部材であることを含む。
【００２０】
これにより、前記円筒部の内側に前記挿着部を固定することができるとともに、前記挿着部の外周面と前記円筒部の内周面との間に、ミスト等の通過を許容する空間を前記円筒部の内側に形成することができる。
【発明の効果】
【００２１】
この発明によって、駆動手段の回転によって直接、噴出口を回転することができ、利用者の満足度を向上させることができる。
【発明を実施するための最良の形態】
【００２２】
この発明の一実施形態を以下図面と共に説明する。  
加湿器１２の拡大正面断面図を示す図１と、加湿器１２の説明図を示す図２と、Ａ−Ａ断面図を示す図３、噴出ノズル１０の平面図を示す図４とともに加湿器１２について説明する。
【００２３】
加湿器１２は、加湿器１２の本体の内部の霧化ユニット１４の上方に、下端に流入口１６を有し、上端の流出口１８に回転可能な噴出ノズル１０を備えた噴出管組立体２０を、噴出ノズル１０が加湿器１２の本体上部から突出するように配している。
【００２４】
噴出管組立体２０は、上半部分２０ａ、下半部分２０ｃならびに上半部分２０ａの下端と下半部分２０ｃの上端とをつなぐ連結部分２０ｂとで構成され、上半部分２０ａの鉛直方向中心線を下半部分２０ｃの鉛直方向中心線より後方に偏心させている。
【００２５】
また、連結部分２０ｂに水平部３６を備え、水平部３６には上半部分２０ａの鉛直方向中心線を中心とする駆動軸２６の外周よりひと回り大きな貫通孔３４を備えている。
【００２６】
ステッピングモータ２４、駆動軸２６ならびにケース２８とで駆動ユニット２２を構成し、噴出ノズル１０の回転中心と駆動軸２６の中心が一致するように、加湿器１２の本体内部のマウント３２に駆動ユニット２２を固定している。
【００２７】
また、駆動軸２６の一方をステッピングモータ２４の出力軸３０に連結し、駆動軸２６の他方をケース２８の上部に突出させ、駆動軸２６突出している部分に、断面を多角形に形成した多角形ヘッド４０を備えている。  
なお、ステッピングモータ２４は図示しない減速ギアを内蔵している。
【００２８】
噴出ノズル１０は円筒部３８を備え、噴出管組立体２０の流出口１８で円筒部３８を挟むようにして回転可能に取り付けられている。  
また、円筒部３８の内部中央に、多角形ヘッド４０の外形に適合した多角形穴４２を有するボス４４を備え、ボス４４は円筒部３８の内面より複数のリブ４６より支持され、円筒部３８の内面とリブ４６との間にミスト等の通過を許容する通過口３５を形成している。
【００２９】
上記構成により、略鉛直な駆動軸２６を、貫通孔３４を貫通させて、多角形ヘッド４０をボス４４の多角形穴４２に挿着し、駆動ユニット２２と噴出ノズル１０とを連結することによって、ステッピングモータ２４の回転により、図４に示すように、噴出ノズル１０は回転することができる。
【００３０】
また、タンク４８内の水を霧化ユニット１４で霧化させることにより、水の蒸発を促し、蒸発した水蒸気とミストとは流入口１６より噴出管組立体２０内に流入して上昇し、通過口３５を通過して噴出ノズル１０より室内空気中に噴出される。
【００３１】
なお、平面視円形リングのパッキン５０とＯリング５２を駆動軸２６に装着しているため、ミスト等が駆動ユニット２２に流入することを防止できる。  
また、噴出ノズル１０は上記構成により回転しているため、噴出方向を変化させることができる。
【００３２】
次に、加湿器１２の回路ブロック図を示す図５と、ステッピングモータ２４に与える指示信号のタイミングチャートを示す図６とともに加湿器１２の制御について説明する。
【００３３】
マイコン５４は信号処理を行うドライバ５６を介してステッピングモータ２４に接続されている。  
利用者が、図示しない加湿器１２の制御盤にあるマイコン５４を介して噴出ノズル１０の回転モードを選択するとともに、噴出ノズル１０の回転角度範囲を設定すると、ドライバ５６がステッピングモータ２４に図６に示すような信号指示を与え、ステッピングモータ２４は順次与えられた信号指示のパルス数に比例した角度に従って正、逆回転をする。
【００３４】
これにより、噴出ノズル１０の回転の有無を選択できる。また噴出ノズル１０の回転を選択した場合に、任意の回転角度範囲を選択することができる。
【００３５】
なお、純水でなく消毒効果を有する液体、または消臭、芳香効果を有する液体をミスト等にして噴出してもよい。
【００３６】
この発明の構成と、上述の実施形態との対応において、
この発明の噴出口は、噴出ノズル１０に対応し、
以下同様に、
減速ギア内蔵型回転機構は、ステッピングモータ２４に対応し、
駆動手段は、駆動ユニット２２に対応し、
多角形断面部は、多角形ヘッド４０に対応し、
取付け部は、マウント３２に対応し、
水平部分は、水平部３６
挿着部は、ボス４４に対応し、
固定部材は、リブ４６に対応するも、
この発明は、上述の実施形態の構成のみに限定されるものではなく、多くの実施の形態を得ることができる。
【図面の簡単な説明】
【００３７】
【図１】加湿器の拡大正面断面図。
【図２】加湿器の説明図。
【図３】Ａ−Ａ断面図。
【図４】噴出ノズルの平面図。
【図５】加湿器の回路ブロック図。
【図６】加湿器のタイミングチャート図。
【符号の説明】
【００３８】
１０…噴出ノズル
１２…加湿器
２０…噴出管組立体
２２…駆動ユニット
２４…ステッピングモータ
２６…駆動軸
２８…ケース
３２…マウント
３４…貫通孔
３６…水平部
３８…円筒部
４０…多角形ヘッド
４２…多角形穴
４４…ボス
４６…リブ
【図１】
2006183958.tif 000003
【図２】
2006183958.tif 000004
【図３】
2006183958.tif 000005
【図４】
2006183958.tif 000006
【図５】
2006183958.tif 000007
【図６】
2006183958.tif 000008